(57)【特許請求の範囲】
【請求項１】
薬物送達デバイス（１）用の駆動アセンブリ（２）であって、
薬剤の用量を送達するために遠位方向に可動なピストンロッド（３）と、
薬剤の用量を送達するために押し下げられるように構成されたアクチュエータ（１３）と、
遠位方向でピストンロッド（３）の運動を引き起こすように構成された駆動要素（４）と、
用量の投薬中に遠位方向でピストンロッド（３）の運動が減速されるように駆動要素（４）の運動を減速するように構成される減速機構（５）とを含み、
ここで、減速機構（５）は減速要素（６）を含み、該減速要素は、少なくとも用量の投薬中に薬物送達デバイス（１）のハウジング（７）に対して、および駆動要素（４）に対して固定され、
駆動要素（４）は、用量の投薬中にハウジング（７）に対して回転するように構成され、それによってピストンロッド（３）の回転運動を引き起こし、
減速要素（６）と駆動要素（４）とは、用量の投薬中に互いに対して擦れ合い、ここで減速要素（６）は第１の接触面（９）を含み、駆動要素（４）は第２の接触面（１０）を含み、第１と第２の接触面（９、１０）は、用量の設定中、ある距離で互いに配置され、アクチュエータ（１３）の押し下げによって引き起こされる用量の投薬中、第１の接触面と第２の接触面は互いに擦れ合い、駆動アセンブリはばね部材（１２）を含み、ここで、アクチュエータ（１３）がユーザによって動作されるときにばね部材（１２）からエネルギーが解放され、ばね部材（１２）から解放されるエネルギーが駆動要素（４）を回転させる、
前記駆動アセンブリ。
【請求項２】
駆動要素（４）の回転は、ピストンロッド（３）の軸方向および回転の複合運動を引き起こす請求項１に記載の駆動アセンブリ（２）。
【請求項３】
案内要素（８）を含み、該案内要素は、ピストンロッド（３）とねじ係合し、駆動要素（４）がピストンロッド（３）を回転させるときにピストンロッド（３）を遠位方向へ軸
方向移動させるように構成される請求項１または２に記載の駆動アセンブリ（２）。
【請求項４】
駆動要素（４）は、ピストンロッド（３）と係合される請求項１〜３のいずれか１項に記載の駆動アセンブリ（２）。
【請求項５】
駆動要素（４）は、ピストンロッド（３）に対して軸方向に可動である請求項１〜４のいずれか１項に記載の駆動アセンブリ（２）。
【請求項６】
駆動要素（４）は、ピストンロッド（３）に対して回転方向に固定される請求項１〜５のいずれか１項に記載の駆動アセンブリ（２）。
【請求項７】
用量の設定中に、駆動要素（４）は、ハウジング（７）に対して固定される請求項１〜６のいずれか１項に記載の駆動アセンブリ（２）。
【請求項８】
ばね部材（１２）は、ねじりばねである請求項１〜７のいずれか１項に記載の駆動アセンブリ（２）。
【請求項９】
第２の接触面（１０）は、デバイスの長手方向軸（１１）に対して半径方向外側に向けられる請求項１〜８のいずれか１項に記載の駆動アセンブリ（２）。
【請求項１０】
減速要素（６）は、ハウジング（７）の一体部材である請求項１〜９のいずれか１項に記載の駆動アセンブリ（２）。
【請求項１１】
第１の接触面（９）と第２の接触面（１０）とは、用量の投薬中に少なくとも一部重なり、接触面（９、１０）の重なりの度合いは、アクチュエータ（１３）の押下げの大きさ（ａ  ｇｒａｄｅ  ｏｆ  ｄｅｐｒｅｓｓｉｏｎ）に依存する請求項１〜１０のいずれか１項に記載の駆動アセンブリ。
【請求項１２】
第２の接触面は、デバイスの投薬端に向けられる請求項１〜１１のいずれか１項に記載の駆動アセンブリ。
【請求項１３】
減速要素（６）は、案内要素（８）の一体部材である請求項３〜１２のいずれか１項に記載の駆動アセンブリ（２）。
【請求項１４】
第１の接触面（９）と第２の接触面（１０）とは、周辺の表面に対して粗面化されている請求項８〜１３のいずれか１項に記載の駆動アセンブリ（２）。
【請求項１５】
駆動アセンブリが、
ａ）アクチュエータがより大きく押し下げられるほど、駆動要素がより大きく減速され、ここでユーザがアクチュエータをより大きく押し下げるほど、減速要素と駆動要素が互いに押圧される力がより大きくなる、あるいは、
ｂ）アクチュエータがより大きく押し下げられるほど、駆動要素がより小さく減速される、ここでユーザがアクチュエータをより大きく押し下げるほど、減速要素と駆動要素とが互いにあまり接触しなくなる、
のいずれかであるように構成される、請求項１〜１４のいずれか１項に記載の駆動アセンブリ（２）。
【請求項１６】
請求項１〜１５のいずれか１項に記載の駆動アセンブリ（２）を含む薬物送達デバイス（１）。
【発明の詳細な説明】
【技術分野】
【０００１】
本開示は、薬物送達デバイス用の駆動アセンブリに関する。特に、本開示は、ペン型の薬物送達デバイスに関する。
【背景技術】
【０００２】
ペン型の薬物送達デバイスは、正式な医療訓練を受けていない人が注射するために使用される。これは、糖尿病などを患う患者の自己治療に益々一般的なものになっている。そのような自己治療は、患者が自分の病気を効果的に管理できるようにする。ペン型の薬物送達デバイスは、通常、駆動機構が中に位置するハウジングを含む。いくつかの種類の薬物送達デバイスは、薬物が入れられたカートリッジを収容するための区画を含む。駆動機構によって、カートリッジ内のピストンが変位され、それにより、中に収容されている薬物が注射針を通して投薬される。
【０００３】
注射の前に、薬物の所要の用量が、用量設定機構によって設定される。用量設定機構の一般的な設計は、用量ダイアルスリーブ、用量指示スリーブ、駆動スリーブ、またはラチェットスリーブなどいくつかの管状またはスリーブ状要素を含む。そのようなスリーブは、しばしば互いの内部に収容され、互いに連結される。
【０００４】
いくつかのデバイスは、ブレーキ機構を含み、ユーザが薬物送達デバイスの投薬速度を制御できるようにする。それにより、薬物の注射が、ユーザにとってより快適になり得る。
【０００５】
特許文献１は、薬剤の送達の速度をユーザが制御できるようにするためのユーザ作動可能なブレーキを記載している。
【０００６】
特許文献２は、注射処置の制御用の制動部材を記載している。
【先行技術文献】
【特許文献】
【０００７】
【特許文献１】国際公開第２００８／０５３２４３号
【特許文献２】米国特許第４，３３３，３５９号
【発明の概要】
【発明が解決しようとする課題】
【０００８】
本発明の目的は、改良された特性を有する薬物送達デバイス用の駆動アセンブリを提供することである。
【課題を解決するための手段】
【０００９】
本発明の一態様によれば、薬剤の用量を送達するために遠位方向に可動なピストンロッドと、遠位方向でピストンロッドの運動を引き起こすように構成された駆動要素とを含む、薬物送達デバイス用の駆動アセンブリが提供される。駆動アセンブリは、用量の投薬中に遠位方向でピストンロッドの運動が減速されるように駆動要素の運動を減速するように構成される減速機構をさらに含む。減速機構は減速要素を含み、減速要素は、少なくとも用量の投薬中に薬物送達デバイスのハウジングに対して、および駆動要素に対して固定され、駆動要素が、用量の投薬中にハウジングに対して回転するように構成され、減速要素と駆動要素とが、用量の投薬中に互いに対して擦れ合う（ｒｕｂ  ａｇａｉｎｓｔ）。特に、駆動要素の回転は、減速機構によって減速される。一実施形態では、減速要素は、案内要素に対して固定される。案内要素は、ハウジングに対して固定されるか、またはハウジングによって構成される。
【００１０】
用量の投薬中に遠位方向でピストンロッドの運動が減速されるように、駆動要素の運動を減速させるように構成された減速機構の利点は、ユーザが投薬速度を制御することができることである。さらに、駆動アセンブリ内、たとえば機構またはピストンに貯蔵された弾性エネルギーがピストンの運動に変わるのに十分な時間を得ることができる。それにより、投薬精度が高められる。
【００１１】
一実施形態によれば、減速要素が第１の接触面を含み、駆動要素が第２の接触面を含む。用量の設定中、第１の接触面と第２の接触面が、ある距離で互いに配置される。用量の投薬中、第１の接触面と第２の接触面とが互いに接触することができ、特に、第１と第２の接触面は、用量の投薬中に互いに擦れ合うことができる。
【００１２】
第１の接触面と第２の接触面とは、周辺の表面に対して粗面化（ｒｏｕｇｈｅｎｅｄ）される。一実施形態によれば、コーティングが、第１と第２の接触面の少なくとも一方に塗布される。
【００１３】
減速要素の第１の接触面は、半径方向内側に向けられる。たとえば、第１の接触面は、ハウジングの内周に配置される。代替として、第１の接触面は、デバイスの近位端に向けられる。薬物送達デバイスの近位端は、デバイスの投薬端から最も離れた端部でよい。
【００１４】
一実施形態によれば、駆動アセンブリは、案内要素を含む。案内要素は、たとえば、ねじナットでよい。案内要素は、ハウジングに対して固定される。さらに、案内要素は、ピストンロッドとねじ係合する。たとえば駆動要素の回転によりピストンロッドが回転されるとき、ピストンロッドは、案内要素とのその協働により、軸方向に移動される。特に、ピストンロッドは、用量の設定中、遠位方向に移動されるように駆動要素によって回転される。それにより、薬物送達デバイスから用量が投薬される。遠位方向は、デバイスの投薬端に向かう方向でよい。
【００１５】
遠位方向でピストンロッドの軸方向運動が駆動要素の回転運動によって引き起こされる駆動アセンブリの利点は、駆動アセンブリの任意の構成要素のそれほど大きな軸方向運動が必要とされないことである。
【００１６】
第１の接触面は、案内要素の表面、特にデバイスの近位端に向けられた表面に位置する。特に、第１の接触面は、駆動要素に向けられた案内要素の表面に配置される。第１の接触面は、デバイスの近位端に向けられた案内要素の表面を少なくとも一部覆うことができる。
【００１７】
一実施形態によれば、減速要素は、駆動アセンブリの別の構成要素の一体部材でよい。たとえば、減速要素は、ハウジングの一体部材でよい。特に、減速要素は、ハウジングの内周に位置する。代替として、減速要素は、案内要素の一体部材でよい。
【００１８】
駆動要素の第２の接触面は、駆動アセンブリの長手方向軸に対して半径方向外側に向けられる。たとえば、第２の接触面は、駆動要素の外周に配置される。代替として、駆動要素の第２の接触面は、デバイスの投薬端に向けられる。特に、第２の接触面は、デバイスの投薬端に向けられた駆動要素の表面を少なくとも一部覆うことができる。
【００１９】
第１と第２の接触面は、投薬操作全体にわたって互いに接触することができるように構成される。それにより、ピストンロッドの運動は、投薬操作中にいつでも減速される。代替として、第１と第２の接触面は、投薬操作のある期間中にのみ接触するように構成される。それにより、ユーザは、投薬操作の速度を制御することができる。
【００２０】
一実施形態によれば、駆動アセンブリは、アクチュエータを含む。アクチュエータは、ボタンとして構成される。アクチュエータは、薬物の用量を投薬するためにユーザによって押し下げられる。用量を投薬するために、アクチュエータは、ユーザによって完全に、または一部押し下げられる。一実施形態によれば、アクチュエータがより大きく押し下げられるほど、投薬速度がより大きく減速される。代替として、アクチュエータがより大きく押し下げられるほど、投薬速度、または駆動要素がより小さく減速される。たとえば、第１と第２の接触面は、ユーザがアクチュエータを押し下げるときに互いに押圧される。ユーザがアクチュエータをより大きく押し下げるほど、減速要素と駆動要素、特に第１と第２の接触面が互いに押圧される力がより大きくなる。代替として、ユーザがアクチュエータをより大きく押し下げるほど、減速要素と駆動要素とが互いにあまり接触しなくなる。特に、ユーザがアクチュエータをより大きく押し下げるほど、第１と第２の接触面は互いにあまり接触しなくなる。これは、ピストンロッドの運動を減速させる摩擦力がユーザによって影響を及ぼされるという利点を有する。特に、ユーザは、投薬速度を遅くすべきか速くすべきかを決定することができる。
【００２１】
駆動要素は、ピストンロッドと係合される。たとえば、駆動要素はスプラインを含むことがあり、スプラインは、ピストンロッドの対応する溝と係合される。溝は、ピストンロッドの全長に沿って延びることがある。特に、駆動要素は、ピストンロッドに対して軸方向に可動でよい。さらに、駆動要素は、ピストンロッドに対して回転方向に固定される。
【００２２】
好ましい実施形態によれば、駆動アセンブリは、駆動要素の回転がピストンロッドの回転運動を引き起こすように構成される。特に、駆動要素の回転が、ピストンロッドの軸方向および回転の複合運動を引き起こす。特に、ピストンロッドが駆動要素によって回転されるとき、ピストンロッドは、案内要素を通って回転する。用量の設定中、駆動要素は、ハウジングに対して固定される。
【００２３】
一実施形態によれば、駆動アセンブリは、ロッキング部材を含むことがある。ロッキング部材は、用量の設定中、ハウジングに対して固定される。特に、ロッキング部材とハウジングは、対応する係合手段を含むことがある。対応する係合手段は、用量の設定中に係合される。駆動要素は、ロッキング部材に固定して連結され、それにより、駆動部材は、少なくとも用量の設定中、ロッキング部材によってハウジングに対して固定される。駆動要素とロッキング部材は互いに対して固定され、それにより、ロッキング部材の運動は、駆動要素の対応する運動を引き起こす。
【００２４】
用量の投薬中、ロッキング部材は、ハウジングに対して回転することができる。それにより、駆動要素は、用量の投薬中にハウジングに対して回転することができる。それにより、駆動要素は、ピストンロッドを移動させることができる。ロッキング部材の回転を可能にするために、ロッキング部材は、ハウジングとのその係合から解放されなければならない。たとえば、ロッキング部材は、ロッキング部材の回転を可能にするためにハウジングに対して軸方向に移動されなければならない。たとえば、ロッキング部材は、ロッキング部材の回転を可能にするために遠位方向に移動される。
【００２５】
駆動アセンブリは、回転部材を含むことがある。用量の設定中および投薬中、回転部材が回転される。用量の設定中には、回転部材は、用量設定方向、たとえば時計方向に回転される。用量の投薬中には、回転部材は、用量投薬方向、たとえば反時計方向に回転される。回転部材は、ロッキング部材に結合される。アクチュエータが作動されるとき、回転部材は、ロッキング部材を移動させて、ハウジングとのロッキング部材の係合を解除することができる。さらに、用量の投薬中、回転部材の回転は、ロッキング部材の回転を引き起こすことができる。
【００２６】
回転部材は、ラチェット機構を含むことがある。ラチェット機構は、ラチェットアームを含むことがある。回転部材は、ラチェット機構によってロッキング部材に対して連結される。ラチェット機構は、ロッキング部材に対する用量設定方向で回転部材の回転を可能にすることができる。用量の設定中、用量投薬方向での回転部材の意図しない回転は、ラチェット機構によって妨げられる。
【００２７】
アセンブリは、用量設定部材を含むことがあり、用量設定部材は、用量を設定するために用量設定方向に回転されるように構成される。回転部材は、ユーザが用量設定部材を回転させるときに回転される。
【００２８】
一実施形態によれば、駆動アセンブリは、ばね部材を含む。ばね部材は、ねじりばねでよい。ばね部材は、用量の設定中に負荷を受ける。アクチュエータがユーザによって動作されるとき、ばね部材からエネルギーが解放される。ばね部材から解放されるエネルギーは、駆動要素を回転させる。特に、ばね部材は、回転部材を回転させることができる。ばね部材の一端は、ハウジングに、またはハウジングに対して固定される別の部分に固定して連結される。ばね部材の他端は、回転部材に固定して連結される。回転部材が用量設定方向に回転されるとき、ばね部材が巻き上げられる。それにより、エネルギーは、ばね部材に貯蔵される。
【００２９】
さらに、駆動アセンブリを含む薬物送達デバイスが提供される。駆動アセンブリは、前述したように構成される。
【００３０】
薬物送達デバイスは、注射デバイス、特にペン型のデバイスでよい。薬物送達デバイスは、ユーザに薬物の用量を送達するのに適していることがある。用量は、アクチュエータを押し下げることによって送達される。薬物送達デバイスは、ユーザが用量のサイズを選択することができるように、可変用量デバイスでよい。特に、ユーザは、用量設定部材を回転させることによって用量のサイズを選択することができる。薬物送達デバイスは、複数回用量用途（ｍｕｌｔｉｐｌｅ  ｄｏｓｅ  ａｐｐｌｉｃａｔｉｏｎ）向けに構成される。薬物は、注射針によってユーザに送達される。デバイスは、使用準備の整った完全に組み立てられた状態でユーザに送達される。特に、デバイスは、充填済みでよい。薬物送達デバイスは、使い捨てデバイスでもよい。用語「使い捨て」は、利用可能な量の薬物が薬物送達デバイスから送達された後には薬物送達デバイスを再使用することができないことを意味する。代替として、薬物送達デバイスは、再使用可能なデバイスでもよい。薬物送達デバイスは、液体薬物を送達するように構成される。薬物は、たとえば、インスリンでよい。
【００３１】
本明細書で使用する用語「薬物」は、好ましくは、少なくとも１つの薬学的に活性な化合物を含む医薬製剤を意味し、
ここで、一実施形態において、薬学的に活性な化合物は、最大１５００Ｄａまでの分子量を有し、および／または、ペプチド、タンパク質、多糖類、ワクチン、ＤＮＡ、ＲＮＡ、酵素、抗体もしくはそのフラグメント、ホルモンもしくはオリゴヌクレオチド、または上述の薬学的に活性な化合物の混合物であり、
ここで、さらなる実施形態において、薬学的に活性な化合物は、糖尿病、または糖尿病性網膜症などの糖尿病関連の合併症、深部静脈血栓塞栓症または肺血栓塞栓症などの血栓塞栓症、急性冠症候群（ＡＣＳ）、狭心症、心筋梗塞、がん、黄斑変性症、炎症、枯草熱、アテローム性動脈硬化症および／または関節リウマチの処置および／または予防に有用であり、
ここで、さらなる実施形態において、薬学的に活性な化合物は、糖尿病または糖尿病性網膜症などの糖尿病に関連する合併症の処置および／または予防のための少なくとも１つのペプチドを含み、
ここで、さらなる実施形態において、薬学的に活性な化合物は、少なくとも１つのヒトインスリンもしくはヒトインスリン類似体もしくは誘導体、グルカゴン様ペプチド（ＧＬＰ−１）もしくはその類似体もしくは誘導体、またはエキセンジン−３もしくはエキセンジン−４もしくはエキセンジン−３もしくはエキセンジン−４の類似体もしくは誘導体を含む。
【００３２】
インスリン類似体は、たとえば、Ｇｌｙ（Ａ２１），Ａｒｇ（Ｂ３１），Ａｒｇ（Ｂ３２）ヒトインスリン；Ｌｙｓ（Ｂ３），Ｇｌｕ（Ｂ２９）ヒトインスリン；Ｌｙｓ（Ｂ２８），Ｐｒｏ（Ｂ２９）ヒトインスリン；Ａｓｐ（Ｂ２８）ヒトインスリン；Ｂ２８位におけるプロリンがＡｓｐ、Ｌｙｓ、Ｌｅｕ、Ｖａｌ、またはＡｌａで置き換えられており、Ｂ２９位において、ＬｙｓがＰｒｏで置き換えられていてもよいヒトインスリン；Ａｌａ（Ｂ２６）ヒトインスリン；Ｄｅｓ（Ｂ２８−Ｂ３０）ヒトインスリン；Ｄｅｓ（Ｂ２７）ヒトインスリン、およびＤｅｓ（Ｂ３０）ヒトインスリンである。
【００３３】
インスリン誘導体は、たとえば、Ｂ２９−Ｎ−ミリストイル−ｄｅｓ（Ｂ３０）ヒトインスリン；Ｂ２９−Ｎ−パルミトイル−ｄｅｓ（Ｂ３０）ヒトインスリン；Ｂ２９−Ｎ−ミリストイルヒトインスリン；Ｂ２９−Ｎ−パルミトイルヒトインスリン；Ｂ２８−Ｎ−ミリストイルＬｙｓＢ２８ＰｒｏＢ２９ヒトインスリン；Ｂ２８−Ｎ−パルミトイル−ＬｙｓＢ２８ＰｒｏＢ２９ヒトインスリン；Ｂ３０−Ｎ−ミリストイル−ＴｈｒＢ２９ＬｙｓＢ３０ヒトインスリン；Ｂ３０−Ｎ−パルミトイル−ＴｈｒＢ２９ＬｙｓＢ３０ヒトインスリン；Ｂ２９−Ｎ−（Ｎ−パルミトイル−γ−グルタミル）−ｄｅｓ（Ｂ３０）ヒトインスリン；Ｂ２９−Ｎ−（Ｎ−リトコリル−γ−グルタミル）−ｄｅｓ（Ｂ３０）ヒトインスリン；Ｂ２９−Ｎ−（ω−カルボキシヘプタデカノイル）−ｄｅｓ（Ｂ３０）ヒトインスリン、およびＢ２９−Ｎ−（ω−カルボキシヘプタデカノイル）ヒトインスリンである。
【００３４】
エキセンジン−４は、たとえば、Ｈ−Ｈｉｓ−Ｇｌｙ−Ｇｌｕ−Ｇｌｙ−Ｔｈｒ−Ｐｈｅ−Ｔｈｒ−Ｓｅｒ−Ａｓｐ−Ｌｅｕ−Ｓｅｒ−Ｌｙｓ−Ｇｌｎ−Ｍｅｔ−Ｇｌｕ−Ｇｌｕ−Ｇｌｕ−Ａｌａ−Ｖａｌ−Ａｒｇ−Ｌｅｕ−Ｐｈｅ−Ｉｌｅ−Ｇｌｕ−Ｔｒｐ−Ｌｅｕ−Ｌｙｓ−Ａｓｎ−Ｇｌｙ−Ｇｌｙ−Ｐｒｏ−Ｓｅｒ−Ｓｅｒ−Ｇｌｙ−Ａｌａ−Ｐｒｏ−Ｐｒｏ−Ｐｒｏ−Ｓｅｒ−ＮＨ２配列のペプチドであるエキセンジン−４（１−３９）を意味する。
【００３５】
エキセンジン−４誘導体は、たとえば、以下のリストの化合物：
Ｈ−（Ｌｙｓ）４−ｄｅｓＰｒｏ３６，ｄｅｓＰｒｏ３７エキセンジン−４（１−３９）−ＮＨ２、
Ｈ−（Ｌｙｓ）５−ｄｅｓＰｒｏ３６，ｄｅｓＰｒｏ３７エキセンジン−４（１−３９）−ＮＨ２、
ｄｅｓＰｒｏ３６エキセンジン−４（１−３９）、
ｄｅｓＰｒｏ３６［Ａｓｐ２８］エキセンジン−４（１−３９）、
ｄｅｓＰｒｏ３６［ＩｓｏＡｓｐ２８］エキセンジン−４（１−３９）、
ｄｅｓＰｒｏ３６［Ｍｅｔ（Ｏ）１４，Ａｓｐ２８］エキセンジン−４（１−３９）、
ｄｅｓＰｒｏ３６［Ｍｅｔ（Ｏ）１４，ＩｓｏＡｓｐ２８］エキセンジン−（１−３９）、
ｄｅｓＰｒｏ３６［Ｔｒｐ（Ｏ２）２５，Ａｓｐ２８］エキセンジン−４（１−３９）、
ｄｅｓＰｒｏ３６［Ｔｒｐ（Ｏ２）２５，ＩｓｏＡｓｐ２８］エキセンジン−４（１−３９）、
ｄｅｓＰｒｏ３６［Ｍｅｔ（Ｏ）１４，Ｔｒｐ（Ｏ２）２５，Ａｓｐ２８］エキセンジン−４（１−３９）、
ｄｅｓＰｒｏ３６［Ｍｅｔ（Ｏ）１４Ｔｒｐ（Ｏ２）２５，ＩｓｏＡｓｐ２８］エキセンジン−４（１−３９）；または
ｄｅｓＰｒｏ３６［Ａｓｐ２８］エキセンジン−４（１−３９）、
ｄｅｓＰｒｏ３６［ＩｓｏＡｓｐ２８］エキセンジン−４（１−３９）、
ｄｅｓＰｒｏ３６［Ｍｅｔ（Ｏ）１４，Ａｓｐ２８］エキセンジン−４（１−３９）、
ｄｅｓＰｒｏ３６［Ｍｅｔ（Ｏ）１４，ＩｓｏＡｓｐ２８］エキセンジン−（１−３９）、
ｄｅｓＰｒｏ３６［Ｔｒｐ（Ｏ２）２５，Ａｓｐ２８］エキセンジン−４（１−３９）、
ｄｅｓＰｒｏ３６［Ｔｒｐ（Ｏ２）２５，ＩｓｏＡｓｐ２８］エキセンジン−４（１−３９）、
ｄｅｓＰｒｏ３６［Ｍｅｔ（Ｏ）１４，Ｔｒｐ（Ｏ２）２５，Ａｓｐ２８］エキセンジン−４（１−３９）、
ｄｅｓＰｒｏ３６［Ｍｅｔ（Ｏ）１４，Ｔｒｐ（Ｏ２）２５，ＩｓｏＡｓｐ２８］エキセンジン−４（１−３９）、
（ここで、基−Ｌｙｓ６−ＮＨ２が、エキセンジン−４誘導体のＣ−末端に結合していてもよい）；
【００３６】
または、以下の配列のエキセンジン−４誘導体：
ｄｅｓＰｒｏ３６エキセンジン−４（１−３９）−Ｌｙｓ６−ＮＨ２（ＡＶＥ００１０）、
Ｈ−（Ｌｙｓ）６−ｄｅｓＰｒｏ３６［Ａｓｐ２８］エキセンジン−４（１−３９）−Ｌｙｓ６−ＮＨ２、
ｄｅｓＡｓｐ２８Ｐｒｏ３６，Ｐｒｏ３７，Ｐｒｏ３８エキセンジン−４（１−３９）−ＮＨ２、
Ｈ−（Ｌｙｓ）６−ｄｅｓＰｒｏ３６，Ｐｒｏ３８［Ａｓｐ２８］エキセンジン−４（１−３９）−ＮＨ２、
Ｈ−Ａｓｎ−（Ｇｌｕ）５ｄｅｓＰｒｏ３６，Ｐｒｏ３７，Ｐｒｏ３８［Ａｓｐ２８］エキセンジン−４（１−３９）−ＮＨ２、
ｄｅｓＰｒｏ３６，Ｐｒｏ３７，Ｐｒｏ３８［Ａｓｐ２８］エキセンジン−４（１−３９）−（Ｌｙｓ）６−ＮＨ２、
Ｈ−（Ｌｙｓ）６−ｄｅｓＰｒｏ３６，Ｐｒｏ３７，Ｐｒｏ３８［Ａｓｐ２８］エキセンジン−４（１−３９）−（Ｌｙｓ）６−ＮＨ２、
Ｈ−Ａｓｎ−（Ｇｌｕ）５−ｄｅｓＰｒｏ３６，Ｐｒｏ３７，Ｐｒｏ３８［Ａｓｐ２８］エキセンジン−４（１−３９）−（Ｌｙｓ）６−ＮＨ２、
Ｈ−（Ｌｙｓ）６−ｄｅｓＰｒｏ３６［Ｔｒｐ（Ｏ２）２５，Ａｓｐ２８］エキセンジン−４（１−３９）−Ｌｙｓ６−ＮＨ２、
Ｈ−ｄｅｓＡｓｐ２８Ｐｒｏ３６，Ｐｒｏ３７，Ｐｒｏ３８［Ｔｒｐ（Ｏ２）２５］エキセンジン−４（１−３９）−ＮＨ２、
Ｈ−（Ｌｙｓ）６−ｄｅｓＰｒｏ３６，Ｐｒｏ３７，Ｐｒｏ３８［Ｔｒｐ（Ｏ２）２５，Ａｓｐ２８］エキセンジン−４（１−３９）−ＮＨ２、
Ｈ−Ａｓｎ−（Ｇｌｕ）５−ｄｅｓＰｒｏ３６，Ｐｒｏ３７，Ｐｒｏ３８［Ｔｒｐ（Ｏ２）２５，Ａｓｐ２８］エキセンジン−４（１−３９）−ＮＨ２、
ｄｅｓＰｒｏ３６，Ｐｒｏ３７，Ｐｒｏ３８［Ｔｒｐ（Ｏ２）２５，Ａｓｐ２８］エキセンジン−４（１−３９）−（Ｌｙｓ）６−ＮＨ２、
Ｈ−（Ｌｙｓ）６−ｄｅｓＰｒｏ３６，Ｐｒｏ３７，Ｐｒｏ３８［Ｔｒｐ（Ｏ２）２５，Ａｓｐ２８］エキセンジン−４（１−３９）−（Ｌｙｓ）６−ＮＨ２、
Ｈ−Ａｓｎ−（Ｇｌｕ）５−ｄｅｓＰｒｏ３６，Ｐｒｏ３７，Ｐｒｏ３８［Ｔｒｐ（Ｏ２）２５，Ａｓｐ２８］エキセンジン−４（１−３９）−（Ｌｙｓ）６−ＮＨ２、
Ｈ−（Ｌｙｓ）６−ｄｅｓＰｒｏ３６［Ｍｅｔ（Ｏ）１４，Ａｓｐ２８］エキセンジン−４（１−３９）−Ｌｙｓ６−ＮＨ２、
ｄｅｓＭｅｔ（Ｏ）１４，Ａｓｐ２８Ｐｒｏ３６，Ｐｒｏ３７，Ｐｒｏ３８エキセンジン−４（１−３９）−ＮＨ２、
Ｈ−（Ｌｙｓ）６−ｄｅｓＰｒｏ３６，Ｐｒｏ３７，Ｐｒｏ３８［Ｍｅｔ（Ｏ）１４，Ａｓｐ２８］エキセンジン−４（１−３９）−ＮＨ２、
Ｈ−Ａｓｎ−（Ｇｌｕ）５−ｄｅｓＰｒｏ３６，Ｐｒｏ３７，Ｐｒｏ３８［Ｍｅｔ（Ｏ）１４，Ａｓｐ２８］エキセンジン−４（１−３９）−ＮＨ２；
ｄｅｓＰｒｏ３６，Ｐｒｏ３７，Ｐｒｏ３８［Ｍｅｔ（Ｏ）１４，Ａｓｐ２８］エキセンジン−４（１−３９）−（Ｌｙｓ）６−ＮＨ２、
Ｈ−（Ｌｙｓ）６−ｄｅｓＰｒｏ３６，Ｐｒｏ３７，Ｐｒｏ３８［Ｍｅｔ（Ｏ）１４，Ａｓｐ２８］エキセンジン−４（１−３９）−（Ｌｙｓ）６−ＮＨ２、
Ｈ−Ａｓｎ−（Ｇｌｕ）５ｄｅｓＰｒｏ３６，Ｐｒｏ３７，Ｐｒｏ３８［Ｍｅｔ（Ｏ）１４，Ａｓｐ２８］エキセンジン−４（１−３９）−（Ｌｙｓ）６−ＮＨ２、
Ｈ−Ｌｙｓ６−ｄｅｓＰｒｏ３６［Ｍｅｔ（Ｏ）１４，Ｔｒｐ（Ｏ２）２５，Ａｓｐ２８］エキセンジン−４（１−３９）−Ｌｙｓ６−ＮＨ２、
Ｈ−ｄｅｓＡｓｐ２８，Ｐｒｏ３６，Ｐｒｏ３７，Ｐｒｏ３８［Ｍｅｔ（Ｏ）１４，Ｔｒｐ（Ｏ２）２５］エキセンジン−４（１−３９）−ＮＨ２、
Ｈ−（Ｌｙｓ）６−ｄｅｓＰｒｏ３６，Ｐｒｏ３７，Ｐｒｏ３８［Ｍｅｔ（Ｏ）１４，Ａｓｐ２８］エキセンジン−４（１−３９）−ＮＨ２、
Ｈ−Ａｓｎ−（Ｇｌｕ）５−ｄｅｓＰｒｏ３６，Ｐｒｏ３７，Ｐｒｏ３８［Ｍｅｔ（Ｏ）１４，Ｔｒｐ（Ｏ２）２５，Ａｓｐ２８］エキセンジン−４（１−３９）−ＮＨ２、
ｄｅｓＰｒｏ３６，Ｐｒｏ３７，Ｐｒｏ３８［Ｍｅｔ（Ｏ）１４，Ｔｒｐ（Ｏ２）２５，Ａｓｐ２８］エキセンジン−４（１−３９）−（Ｌｙｓ）６−ＮＨ２、
Ｈ−（Ｌｙｓ）６−ｄｅｓＰｒｏ３６，Ｐｒｏ３７，Ｐｒｏ３８［Ｍｅｔ（Ｏ）１４，Ｔｒｐ（Ｏ２）２５，Ａｓｐ２８］エキセンジン−４（Ｓ１−３９）−（Ｌｙｓ）６−ＮＨ２、
Ｈ−Ａｓｎ−（Ｇｌｕ）５−ｄｅｓＰｒｏ３６，Ｐｒｏ３７，Ｐｒｏ３８［Ｍｅｔ（Ｏ）１４，Ｔｒｐ（Ｏ２）２５，Ａｓｐ２８］エキセンジン−４（１−３９）−（Ｌｙｓ）６−ＮＨ２；
または前述のいずれか１つのエキセンジン−４誘導体の薬学的に許容される塩もしくは溶媒和化合物
から選択される。
【００３７】
ホルモンは、たとえば、ゴナドトロピン（フォリトロピン、ルトロピン、コリオンゴナドトロピン、メノトロピン）、ソマトロピン（ソマトロピン）、デスモプレシン、テルリプレシン、ゴナドレリン、トリプトレリン、ロイプロレリン、ブセレリン、ナファレリン、ゴセレリンなどの、Ｒｏｔｅ  Ｌｉｓｔｅ、２００８年版、５０章に列挙されている脳下垂体ホルモンまたは視床下部ホルモンまたは調節性活性ペプチドおよびそれらのアンタゴニストである。
【００３８】
多糖類としては、たとえば、グルコサミノグリカン、ヒアルロン酸、ヘパリン、低分子量ヘパリン、もしくは超低分子量ヘパリン、またはそれらの誘導体、または上述の多糖類の硫酸化形態、たとえば、ポリ硫酸化形態、および／または、薬学的に許容されるそれらの塩がある。ポリ硫酸化低分子量ヘパリンの薬学的に許容される塩の例としては、エノキサパリンナトリウムがある。
【００３９】
抗体は、基本構造を共有する免疫グロブリンとしても知られている球状血漿タンパク質（約１５０ｋＤａ）である。これらは、アミノ酸残基に付加された糖鎖を有するので、糖タンパク質である。各抗体の基本的な機能単位は免疫グロブリン（Ｉｇ）単量体（１つのＩｇ単位のみを含む）であり、分泌型抗体はまた、ＩｇＡなどの２つのＩｇ単位を有する二量体、硬骨魚のＩｇＭのような４つのＩｇ単位を有する四量体、または哺乳動物のＩｇＭのように５つのＩｇ単位を有する五量体でもあり得る。
【００４０】
Ｉｇ単量体は、４つのポリペプチド鎖、すなわち、システイン残基間のジスルフィド結合によって結合された２つの同一の重鎖および２本の同一の軽鎖から構成される「Ｙ」字型の分子である。それぞれの重鎖は約４４０アミノ酸長であり、それぞれの軽鎖は約２２０アミノ酸長である。重鎖および軽鎖はそれぞれ、これらの折り畳み構造を安定化させる鎖内ジスルフィド結合を含む。それぞれの鎖は、Ｉｇドメインと呼ばれる構造ドメインから構成される。これらのドメインは約７０〜１１０個のアミノ酸を含み、そのサイズおよび機能に基づいて異なるカテゴリー（たとえば、可変すなわちＶ、および定常すなわちＣ）に分類される。これらは、２つのβシートが、保存されたシステインと他の荷電アミノ酸との間の相互作用によって一緒に保持される「サンドイッチ」形状を作り出す特徴的な免疫グロブリン折り畳み構造を有する。
【００４１】
α、δ、ε、γおよびμで表される５種類の哺乳類Ｉｇ重鎖が存在する。存在する重鎖の種類により抗体のアイソタイプが定義され、これらの鎖はそれぞれ、ＩｇＡ、ＩｇＤ、ＩｇＥ、ＩｇＧおよびＩｇＭ抗体中に見出される。
【００４２】
異なる重鎖はサイズおよび組成が異なり、αおよびγは約４５０個のアミノ酸を含み、δは約５００個のアミノ酸を含み、μおよびεは約５５０個のアミノ酸を有する。各重鎖は、２つの領域、すなわち定常領域（ＣＨ）と可変領域（ＶＨ）を有する。１つの種において、定常領域は、同じアイソタイプのすべての抗体で本質的に同一であるが、異なるアイソタイプの抗体では異なる。重鎖γ、α、およびδは、３つのタンデム型のＩｇドメインと、可撓性を加えるためのヒンジ領域とから構成される定常領域を有し、重鎖μおよびεは、４つの免疫グロブリン・ドメインから構成される定常領域を有する。重鎖の可変領域は、異なるＢ細胞によって産生された抗体では異なるが、単一Ｂ細胞またはＢ細胞クローンによって産生された抗体すべてについては同じである。各重鎖の可変領域は、約１１０アミノ酸長であり、単一のＩｇドメインから構成される。
【００４３】
哺乳類では、λおよびκで表される２種類の免疫グロブリン軽鎖がある。軽鎖は２つの連続するドメイン、すなわち１つの定常ドメイン（ＣＬ）および１つの可変ドメイン（ＶＬ）を有する。軽鎖のおおよその長さは、２１１〜２１７個のアミノ酸である。各抗体は、常に同一である２本の軽鎖を有し、哺乳類の各抗体につき、軽鎖κまたはλの１つのタイプのみが存在する。
【００４４】
すべての抗体の一般的な構造は非常に類似しているが、所与の抗体の固有の特性は、上記で詳述したように、可変（Ｖ）領域によって決定される。より具体的には、各軽鎖（ＶＬ）について３つおよび重鎖（ＨＶ）に３つの可変ループが、抗原との結合、すなわちその抗原特異性に関与する。これらのループは、相補性決定領域（ＣＤＲ）と呼ばれる。ＶＨドメインおよびＶＬドメインの両方からのＣＤＲが抗原結合部位に寄与するので、最終的な抗原特異性を決定するのは重鎖と軽鎖の組合せであり、どちらか単独ではない。
【００４５】
「抗体フラグメント」は、上記で定義した少なくとも１つの抗原結合フラグメントを含み、そのフラグメントが由来する完全抗体と本質的に同じ機能および特異性を示す。パパインによる限定的なタンパク質消化は、Ｉｇプロトタイプを３つのフラグメントに切断する。１つの完全なＬ鎖および約半分のＨ鎖をそれぞれが含む２つの同一のアミノ末端フラグメントが、抗原結合フラグメント（Ｆａｂ）である。サイズが同等であるが、鎖間ジスルフィド結合を有する両方の重鎖の半分の位置でカルボキシル末端を含む第３のフラグメントは、結晶可能なフラグメント（Ｆｃ）である。Ｆｃは、炭水化物、相補結合部位、およびＦｃＲ結合部位を含む。限定的なペプシン消化により、Ｆａｂ片とＨ−Ｈ鎖間ジスルフィド結合を含むヒンジ領域の両方を含む単一のＦ（ａｂ’）２フラグメントが得られる。Ｆ（ａｂ’）２は、抗原結合に対して二価である。Ｆ（ａｂ’）２のジスルフィド結合は、Ｆａｂ’を得るために切断することができる。さらに、重鎖および軽鎖の可変領域は、縮合して単鎖可変フラグメント（ｓｃＦｖ）を形成することもできる。
【００４６】
薬学的に許容される塩は、たとえば、酸付加塩および塩基性塩である。酸付加塩としては、たとえば、ＨＣｌまたはＨＢｒ塩がある。塩基性塩は、たとえば、アルカリまたはアルカリ土類、たとえば、Ｎａ＋、またはＫ＋、またはＣａ２＋から選択されるカチオン、または、アンモニウムイオンＮ＋（Ｒ１）（Ｒ２）（Ｒ３）（Ｒ４）（式中、Ｒ１〜Ｒ４は互いに独立に：水素、場合により置換されたＣ１〜Ｃ６アルキル基、場合により置換されたＣ２〜Ｃ６アルケニル基、場合により置換されたＣ６〜Ｃ１０アリール基、または場合により置換されたＣ６〜Ｃ１０ヘテロアリール基を意味する）を有する塩である。薬学的に許容される塩のさらなる例は、「Ｒｅｍｉｎｇｔｏｎ’ｓ  Ｐｈａｒｍａｃｅｕｔｉｃａｌ  Ｓｃｉｅｎｃｅｓ」１７版、Ａｌｆｏｎｓｏ  Ｒ．Ｇｅｎｎａｒｏ（編）、Ｍａｒｋ  Ｐｕｂｌｉｓｈｉｎｇ  Ｃｏｍｐａｎｙ、Ｅａｓｔｏｎ、Ｐａ．、Ｕ．Ｓ．Ａ．、１９８５およびＥｎｃｙｃｌｏｐｅｄｉａ  ｏｆ  Ｐｈａｒｍａｃｅｕｔｉｃａｌ  Ｔｅｃｈｎｏｌｏｇｙに記載されている。
【００４７】
薬学的に許容される溶媒和物は、たとえば、水和物である。
【００４８】
さらなる特徴、改良、および便宜は、図面に関連する例示的実施形態の以下の説明から明らかになる。
【図面の簡単な説明】
【００４９】
【図１】アクチュエータが作動されていない状態での減速要素を含む薬物送達デバイスを示す図である。
【図２】ユーザによってアクチュエータが作動された状態での図１の薬物送達デバイスを示す図である。
【図３】アクチュエータが作動されていない状態での減速要素を含む薬物送達デバイスのさらなる実施形態を示す図である。
【図４】アクチュエータが作動されているときの状態で図３の薬物送達デバイスを示す図である。
【発明を実施するための形態】
【００５０】
図１は、アセンブリ２を含む薬物送達デバイス１を示す。特に、図１は、操作されていないとき、すなわちデバイスから用量が送達されていないときの状態で薬物送達デバイス１を示す。
【００５１】
駆動アセンブリ２はピストンロッド３を含み、ピストンロッド３は、用量を投薬するために遠位方向に移動されるように構成される。特に、ピストンロッド３は、ピストン１６を移動させるように構成され、ピストン１６は、薬物送達デバイス１の投薬端に向けてカートリッジ１４内に配置される。特に、ピストンロッド３は支承部２５を含み、支承部２５はピストン１６と接触する。カートリッジは、カートリッジホルダ１５内に配置され、カートリッジホルダ１５は、ハウジング７に連結される。ピストンロッド３は、親ねじとして構成される。
【００５２】
用量を設定するために、駆動アセンブリ２は、用量設定部材２１を含む。用量設定部材２１は、ユーザによって回転される。特に、用量設定部材２１は、ハウジング７に対して軸方向に固定されるが、回転方向に可動である。特に、薬物送達デバイス１の長さは、用量設定部材２１の回転中に変化しない。駆動アセンブリは、さらに、駆動軸２３を含む。用量設定部材２１を回転させることによって、駆動軸２３も回転される。特に、駆動軸２３は、スプライン２６による用量の設定中に用量設定部材２１に対して回転方向に固定される。スプライン２６は、用量設定部材２１の対応する溝（図示せず）に係合することができる。駆動アセンブリ２は、さらに、回転部材２７を含む。回転部材２７は、スリーブとして構成される。回転部材２７は、駆動軸２３の周りに同心に配置される。回転部材２７は、スナップ連結によって駆動軸２３に固定される。回転部材２７は、駆動軸２３に対して軸方向に固定される。組立ての理由から、駆動軸２３と回転部材２７は、別個の部品として設計される。代替実施形態では、駆動軸２３と回転部材２７は、１部品として設計される。用量設定方向での駆動軸２３の回転は、回転部材２７も回転させる。用量設定方向は、時計方向でよい。
【００５３】
駆動アセンブリ２は、ばね部材１２を含む。ばね部材１２は、ねじりばねでよい。ばね部材１２の一端は、ゼロ止め具（ｚｅｒｏ  ｓｔｏｐ）２４に固定され、ゼロ止め具２４については後述する。代替実施形態では、ばね部材１２の一端は、ハウジング７に固定される。ばね部材１２の他端は、回転部材２７に固定される。用量の設定中に回転部材２７が回転されるとき、ばね部材１２が巻き上げられ、それにより、ばね部材１２にエネルギーが貯蔵される。
【００５４】
駆動アセンブリ２は、さらにインジケータ１９を含む。インジケータ１９は、たとえば、数字付きスリーブ（ｎｕｍｂｅｒ  ｓｌｅｅｖｅ）でよい。インジケータ１９は、設定された用量の量をユーザに示すように構成される。たとえば、設定された用量の量は、薬物送達デバイス１のハウジング７にある窓２８を通して示される。インジケータ１９は、回転部材２７に対して回転方向に固定されるが、軸方向に可動である。たとえば、インジケータ１９は、その内周にスプラインを含むことができ、スプラインは、回転部材２７の対応する溝に係合することができる。特に、インジケータ１９は、回転部材２７の周りに同心に配置される。さらに、インジケータ１９は、ハウジング７とねじ係合する。用量の設定中、インジケータ１９は、回転部材２７によって用量設定方向に回転される。それにより、インジケータ１９は、ハウジング７とのそのねじ係合により、遠位方向に移動するように押される。設定された用量をキャンセルするために、用量設定部材２１は、用量キャンセル方向に回転される。用量キャンセル方向は、反時計方向である。
【００５５】
駆動アセンブリ２は、さらに、ロッキング部材１７を含む。用量の設定中、ロッキング部材１７は、ハウジング７に対して回転方向に固定される。たとえば、ロッキング部材１７はスプラインを含み、スプラインは、ハウジング７の対応する溝に係合する。ロッキング部材１７の内周に、１組の歯（図示せず）が配置される。回転部材２７は、少なくとも１つのラチェットアーム（図示せず）によって、ロッキング部材１７の１組の歯と係合される。特に、ロッキング部材１７と回転部材２７とは、用量設定中、用量設定方向で回転部材２７の回転が可能にされ、用量キャンセル方向での回転部材２７の意図しない回転は妨げられるように係合される。それにより、ユーザが用量設定部材２１を解放したときに、ばね部材１２からのトルクが回転部材２７を用量キャンセル方向に回転させることが妨げられる。用量の設定中、回転部材２７の少なくとも１つのラチェットアームが、ロッキング部材１７の歯の上に移動される。それにより、各単位が設定されるごとに可聴クリック音（ａｕｄｉｂｌｅ  ｃｌｉｃｋ）が生成される。
【００５６】
設定された用量をキャンセルするために、ユーザは、用量設定部材２１を用量キャンセル方向に回転させる。用量のキャンセル中、駆動軸２３は、回転部材２７に対して少量だけ回転して、付勢アームを圧縮することができる。それにより、機能、たとえば駆動軸２３の突起が、回転部材２７の少なくとも１つのラチェットアームの上に摺動する。それにより、回転部材２７の少なくとも１つのラチェットアームが、半径方向内側に押圧される。それにより、回転部材２７とロッキング部材１７との係合が一時的に解放され、したがって回転部材２７が用量キャンセル方向に回転される。
【００５７】
最終用量部材（ｌａｓｔ  ｄｏｓｅ  ｍｅｍｂｅｒ）１８が、ピストンロッド３と駆動軸２３との間に配置される。最終用量部材１８は、最終用量ナットでよい。最終用量部材１８は、ピストンロッド３とねじ係合する。さらに、最終用量部材１８は、駆動軸２３の内側の対応する溝に係合する外部リブによって、駆動軸２３と係合される。特に、最終用量部材１８は、駆動軸２３に対して回転方向に固定されるが、軸方向では可動である。たとえば用量の設定中に駆動軸２３が回転するとき、最終用量部材１８は、駆動軸２３によって回転される。それにより、最終用量部材１８は、ピストンロッドに沿って移動する。最終用量が選択されるとき、最終用量部材１８は、止め具機能（ｓｔｏｐ  ｆｅａｔｕｒｅ）２９に当接する。止め具機能２９は、ピストンロッド３の近位端に配置される。最終用量部材１８が止め具機能２９に当接するとき、用量のさらなる設定は妨げられる。特に、最終用量部材１８は、カートリッジ１４内の残りの薬物の量を超える用量の設定を妨げる。
【００５８】
用量を投薬するために、アクチュエータ１３がユーザによって作動されなければならない。図２は、アクチュエータ１３が作動されているときの状態で薬物送達デバイス１を示す。
【００５９】
アクチュエータ１３が作動される、特に遠位方向に移動されるとき、駆動軸２３も遠位方向に移動される。それにより、駆動軸２３は、用量設定部材２１から係合解除される。駆動軸２３が遠位方向に移動されるとき、回転部材２７およびロッキング部材１７も、駆動軸２３と共に遠位方向に移動される。それにより、ロッキング部材１７は、ハウジング７とのその係合から係合解除される。特に、アクチュエータ１３がユーザによって作動されたときに、ロッキング部材１７は、ハウジング７に対して回転される。ロッキング部材１７が、ハウジング７に対して回転することを可能にされるとき、ばね部材１２に貯蔵されたエネルギーが解放される。特に、ばね部材１２は、回転部材２７にトルクを及ぼし、それにより、回転部材２７は、用量の投薬中に回転される。用量の投薬中の回転部材２７の回転は、ロッキング部材１７も回転させる。
【００６０】
駆動アセンブリ２は、駆動要素４を含む。駆動要素４は、スプラインナットとして構成される。駆動要素４は、ロッキング部材１７に連結される。特に、駆動要素４は、ロッキング部材１７に対して回転および軸方向に固定される。それにより、駆動要素４は、用量の投薬中に回転する。さらに、駆動要素４は、ピストンロッド３と係合される。特に、駆動要素４はスプラインを含み、スプラインは、ピストンロッド３の軸方向溝と係合される。それにより、駆動要素４は、ピストンロッド３に対して回転方向に固定されるが、軸方向では可動である。
【００６１】
駆動要素４は、フィードバック機能（ｆｅｅｄｂａｃｋ  ｆｅａｔｕｒｅ）（図示せず）を含むことがある。たとえば、駆動要素４の外周に、少なくとも１つ、たとえば２つのクリッカアーム（ｃｌｉｃｋｅｒ  ａｒｍ）が配置される。用量の投薬中に駆動要素４が回転するとき、クリッカアームは、ハウジング７内の歯の上に移動することができ、それにより可聴フィードバックを生成する。フィードバックは、用量が現在投薬されていることをユーザに示すことができる。したがって、可聴フィードバックの終了は、用量がすべて投薬されたことをユーザに示す。
【００６２】
駆動アセンブリ２は、さらに案内要素８を含む。案内要素８は、ねじナットとして構成される。案内要素８は、ピストンロッド３とねじ係合する。案内要素８は、薬物送達デバイス１のハウジング７に対して固定される。用量の投薬中に駆動要素４が回転するとき、ピストンロッド３も回転される。ピストンロッド３と案内要素８とのねじ係合により、ピストンロッド３の回転は、ピストンロッド３を遠位方向に移動させる。それにより、ピストン１６が遠位方向に移動され、それにより用量が投薬される。用量の投薬中、インジケータ１９は、その初期位置に戻るように回転される。特に、用量の投薬中、インジケータ１９は、ゼロ止め具２４に当接するまで、デバイスの近位端に向かう回転および軸方向の複合運動を行う。ゼロ止め具２４は、ハウジング７にしっかりと固定される。代替として、ゼロ止め具２４は、ハウジング７の一体部材でよい。インジケータ１９がゼロ止め具２４に当接するとき、ばね部材１２のトルクによる用量投薬方向での回転部材２７のさらなる回転が妨げられる。それにより、用量のさらなる投薬が妨げられる。
【００６３】
ユーザがアクチュエータ１３を解放するとき、アクチュエータと用量設定部材２１との間に配置されたリセットばね２２が、アクチュエータを、その初期位置に戻るように移動させる。それにより、駆動軸２３は、アクチュエータ１３と共に近位方向に移動される。それにより、駆動軸２３は、用量設定部材２１と再係合する。さらに、ロッキング部材１７は、ハウジング７と再係合する。
【００６４】
駆動アセンブリ２は、さらに減速機構５を含み、減速機構５は、用量の投薬中に駆動要素４の運動を減速させるように構成される。それにより、遠位方向でピストンロッド３の運動が減速される。減速機構５によって、ユーザは、投薬操作の速度を制御することができる。それにより、注射は、ユーザにとってより快適になり得る。たとえば、アクチュエータ１３がユーザによってより大きく押し下げられるほど、ピストンロッド３の運動がより大きく減速される。そのような実施形態は、図１および図２に従って以下に述べる。さらなる実施形態では、アクチュエータ１３がユーザによってより大きく押し下げられるほど、ピストンロッド３の運動はより小さく減速される。そのような実施形態は、図３および図４に従って述べる。図１および図２に示される実施形態では、減速要素の接触面９は、案内要素８に配置される。図３および図４に示される別の実施形態では、接触面９は、ハウジング７に配置される。
【００６５】
減速機構５の第１の実施形態が、図１および図２に示されている。減速機構５は減速要素６を含み、減速要素６は、ハウジング７に対して、特にアセンブリ２の案内要素８に対して固定されている。図１および図２に示される実施形態では、減速要素６は、案内要素８によって構成される。さらに、減速機構５は、駆動要素４を含む。減速要素６は、第１の接触面９を含む。第１の接触面９は、案内要素８上の粗面化された表面領域として構成される。たとえば、減速要素６は、案内要素８上のコーティングでよい。第１の接触面９は、案内要素８の表面の一部の上に延び、案内要素８は、デバイスの近位端に向けられる。特に、第１の接触面９は、駆動要素に向けられる。さらに、駆動要素４は、第２の接触面１０を含む。第２の接触面は、駆動要素４上の粗面化された表面領域として構成される。たとえば、第２の接触面１０は、コーティングを含むことがある。図１および図２では、減速要素６は、図示のために、案内要素８上の三角形の突起によって示される。しかし、三角形の突起は、案内要素８の構造的要素ではない。これは、減速要素６の位置を示すためのものにすぎない。
【００６６】
用量の投薬中、駆動要素４は、たとえば図２に示されるように、減速要素６と接触する。特に、駆動要素４は、案内要素８と接触する。図２では、見やすくするために、駆動要素４と案内要素８との間に小さなギャップが示されている。実際には、駆動要素４と案内要素８は、ギャップが生じないように接触していてもよい。用量の投薬中に駆動要素４が回転されるとき、駆動要素４と減速要素６は、互いに擦れ合う。それにより、駆動要素４の回転が減速される。特に、駆動要素４の回転の速度が低下される。駆動要素４がピストンロッド３に対して回転方向に固定されているので、ピストンロッド３の回転も減速される。それにより、減速機構５は、用量の投薬中に遠位方向でピストンロッド３の運動を減速させる。
【００６７】
投薬操作の最後に、ばね部材１２からのばね力が減少し、減速機構５の影響が高まる。それにより、駆動アセンブリ２、たとえばピストン１６またはアセンブリの他の構成要素に貯蔵された弾性エネルギーがピストン１６の運動に変わるための時間を得られる。それにより、用量精度が高められる。特に、可聴フィードバックの終了後、用量がすべて投薬されるまで、ユーザがアクチュエータ１３を押し下げる必要がある保持時間が短縮される。
【００６８】
図３および図４は、駆動アセンブリ２を含む薬物送達デバイス１のさらなる実施形態を示す。駆動アセンブリ２は、減速機構５のさらなる実施形態を含む。図３は、デバイスが動作されていない状態での薬物送達デバイスを示す。図４は、アクチュエータ１３が作動されている状態での薬物送達デバイスを示す。減速機構６の異なる構成を除いて、薬物送達デバイス１の機能は、図１および図２に従って説明したものと同じである。
【００６９】
図３および図４に示される実施形態では、減速要素６は、第１の接触面９を含む。第１の接触面は、ハウジング７、特にハウジング７の内周に位置する。特に、第１の接触面９は、ハウジング７上の粗面化された表面として構成される。たとえば、減速要素６、特に第１の接触面９は、ハウジング７上のコーティングを含む。
【００７０】
図３および図４において、減速要素６は、図示のために、ハウジング７上の三角形の突起によって示される。しかし、三角形の突起は、ハウジングの構造的要素ではない。これは、減速要素６の取り得る位置を示すためのものにすぎない。
【００７１】
減速機構５は、さらに駆動要素４を含む。駆動要素４は、第２の接触面１０を含む。第２の接触面１０は、駆動要素４の外周に位置する。特に、駆動要素４は、その外周に、コーティングまたは粗面化された表面を含む。
【００７２】
図３に示されるように薬物送達デバイス１が非動作状態であるとき、減速要素６と駆動要素４は、互いに接触しない。特に、第１の接触面９と第２の接触面１０は、互いに接触しない。
【００７３】
薬物の用量を投薬するためにアクチュエータ１３がユーザによって押し下げられるとき、駆動要素４は、遠位方向に移動される。それにより、駆動要素４は、減速要素６に接触する。それにより、図１および図２に従って既に述べたように、駆動要素４の回転およびピストンロッド３の運動が減速される。
【００７４】
一実施形態によれば、アセンブリ２の長手方向軸１１に沿った減速要素６、特に第１の接触面９の延在部は、用量の投薬中に駆動要素４、特に駆動要素４の外周が減速要素６に常に接するようなものでよい。それにより、ピストンロッド３の運動は、用量の投薬中に常に減速される。
【００７５】
さらなる実施形態では、減速要素６、特に第１の接触面９の延在および位置は、アクチュエータ１３が特定の量だけ押し下げられたときにのみ駆動要素４が減速要素６と接触するようなものでよい。たとえば、駆動要素４は、アクチュエータ１３が完全に押し下げられておらず、たとえば途中まで押し下げられているときには、減速要素６と接触することがある。アクチュエータ１３が完全に押し下げられるとき、駆動要素４は、第１の接触面９を超えて移動されることがあり、それにより、アクチュエータ１３が完全に押し下げられるときには駆動要素４の回転は減速されない。それにより、ユーザは、投薬操作の速度を制御することができる。特に、アクチュエータ１３がユーザによってより大きく押し下げられるほど、ピストンロッド３の運動はより小さく減速される。
【００７６】
図４で、薬物送達デバイス１は、アクチュエータ１３が完全に押し下げられた状態で示されている。それにより、駆動要素４は、減速要素６を超えて移動されている。特に、駆動要素４は、デバイスの投薬端から見て、減速要素６の前に配置される。それにより、駆動要素４と減速要素６は接触しなくなる。その結果、ピストンロッド３の運動は減速されなくなる。
【符号の説明】
【００７７】
１  薬物送達デバイス
２  駆動アセンブリ
３  ピストンロッド
４  駆動要素
５  減速機構
６  減速要素
７  ハウジング
８  案内要素
９  第１の接触面
１０  第２の接触面
１１  長手方向軸
１２  ばね部材
１３  アクチュエータ
１４  カートリッジ
１５  カートリッジホルダ
１６  ピストン
１７  ロッキング部材
１８  最終用量部材
１９  インジケータ
２１  用量設定部材
２２  リセットばね
２３  駆動軸
２４  ゼロ止め具
２５  ピストンロッドの支承部
２６  スプライン
２７  回転部材
２８  窓
２９  止め具機能
【図１】
0006448624.tif 000002
【図２】
0006448624.tif 000003
【図３】
0006448624.tif 000004
【図４】
0006448624.tif 000005